(57)【要約】【課題】ＰＣプリンタとコピー処理の指示が競合しても、混乱なく、両処理を実行できる画像処理システムを提供する。【解決手段】スキャナ装置１のプリンタ用ポート７−１に、プリンタ装置２を接続し、ＰＣ用ポート７−２にＰＣ３をハブ８を介して接続する。コピー処理中に、ＰＣ３よりＰＣ用ポート７−２を経て、通信開始要求が入ると（ＳＴ１１１）、データが蓄積可能なデータか判定し（ＳＴ１１２）、蓄積可能な、例えばプリントデータであり、かつメモリに蓄積容量がある場合に（ＳＴ１１３）、データを受信してメモリに記憶する（ＳＴ１１４）。蓄積可能なプリントデータでも、蓄積容量がない場合は、送信元のＰＣ３に、データ受信できない旨を送信する。【選択図】      図７
2004357013.tif 000002
【特許請求の範囲】
【請求項１】
原稿画像を読み取って得た画像情報をネットワークを介して出力可能なスキャナ装置と、外部装置から入力した画像情報を可視的に出力する画像出力装置と、スキャナ装置から画像情報を入力可能であるとともに、画像出力装置に対して画像情報を出力可能な情報処理装置とが、それぞれデータ交換可能にネットワーク接続されてなる画像処理システムであって、
前記スキャナ装置は、前記画像出力装置を接続するための第１ポートと、前記情報処理装置を接続するための第２ポートと、コピー処理においては、画像情報を第１ポートからネットワークを介して画像出力装置に出力するとともに、コピー処理中に第２ポートからネットワークを介してネットワークプリント要求を受信すると、内部記憶手段に所定の蓄積量までプリントデータを受信して蓄積し、所定の蓄積量となった場合、発信元である情報処理装置に対して、プリントデータの送信を中断又は抑制すべき旨のデータを送信するように制御する制御手段とを備えることを特徴とする画像処理システム。
【請求項２】
原稿画像を読み取って得た画像情報をネットワークを介して出力可能なスキャナ装置と、外部装置から入力した画像情報を可視的に出力する画像出力装置と、スキャナ装置から画像情報を入力可能であるとともに、画像出力装置に対して画像情報を出力可能な情報処理装置とが、それぞれデータ交換可能にネットワーク接続されてなる画像処理システムであって、
前記スキャナ装置は、前記画像出力装置を接続するための第１ポートと、前記情報処理装置を接続するための第２ポートと、ネットワークプリント処理において、第２ポートからネットワークを介して受信したプリントデータを、第１ポートからネットワークを介して画像出力装置に出力するとともに、ネットワークプリント処理中にコピー指令が入力されると、内部記憶手段に所定の蓄積量までスキャンデータを蓄積し、所定の蓄積量となった場合、読み取りを停止させるか読み取り速度を減速させ、ネットワークプリント処理の進行により内部記憶手段の空き容量が回復すると、読み取りを再開させるか高速とし、ネットワークプリント処理の終了後、蓄積していたスキャンデータを第１ポートからネットワークを介して画像出力装置に出力するように制御することを特徴とする画像処理システム。
【請求項３】
原稿画像を読み取って得た画像情報をネットワークを介して出力可能な画像読取装置であって、
画像出力装置を接続するための第１ポートと、情報処理装置を接続するための第２ポートと、コピー処理においては、画像情報を第１ポートからネットワークを介して画像出力装置に出力するとともに、コピー処理中に第２ポートからネットワークを介してネットワークプリント要求を受信すると、内部記憶手段に所定の蓄積量までプリントデータを受信して蓄積し、所定の蓄積量となった場合、発信元である情報処理装置に対して、プリントデータの送信を中断又は抑制すべき旨のデータを送信するように制御する制御手段とを備えることを特徴とする画像読取装置。
【請求項４】
原稿画像を読み取って得た画像情報をネットワークを介して出力可能な画像読取装置であって、
画像出力装置を接続するための第１ポートと、情報処理装置を接続するための第２ポートと、ネットワークプリント処理においては、第２ポートからネットワークを介して受信したプリントデータを、第１ポートからネットワークを介して画像出力装置に出力するとともに、ネットワークプリント処理中にコピー指令が入力されると、内部記憶手段に所定の蓄積量までスキャンデータを蓄積し、所定の蓄積量となった場合、読み取りを停止させるか読み取り速度を減速させ、ネットワークプリント処理の進行により内部記憶手段の空き容量が回復すると、読み取りを再開させるか高速とし、ネットワークプリント処理の終了後、蓄積していたスキャンデータを第１ポートからネットワークを介して画像出力装置に出力するように制御することを特徴とする画像読取装置。
【請求項５】
操作部に、割り込みコピーを指示する手段を備え、ネットワークプリント中に割り込みコピー指示がなされた場合に、ネットワークプリントを中断し、コピー処理を実行するように制御する手段を備えたことを特徴とする請求項４記載の画像読取装置。
【請求項６】
制御部にコピーとネットワークプリントのいずれを優先するか設定する手段を備え、コピー処理とネットワークプリントが競合した場合に、設定手段で優先設定された処理を優先して実行させることを特徴とする請求項３、請求項４又は請求項５記載の画像読取装置。
【発明の詳細な説明】
【０００１】
【発明の属する技術分野】
この発明は、スキャナ装置（画像読取装置）と、プリンタ装置（画像出力装置）と、パーソナルコンピュータ（情報処理装置）とからなる画像処理システム及び画像読取装置に関する。
【０００２】
【従来の技術】
一般に、図１０に示すように、スキャナ装置１と、プリンタ装置２とを、ＬＡ６Ｎを介してＰＣ（パーソナルコンピュータ）３、４、５、……、に接続し、スキャナ装置１で読み取った原稿画像を例えばＰＣ３を介してプリンタ装置２に送り、コピー処理を行う画像処理システムが知られている。また、図１１に示すように、画像読取部１０ａと、画像形成部１０ｂと、制御部１０ｃと、ネットワークＩ／Ｆ１０ｄとを備える複合機１０と、ＰＣ３、４、５、……、をＬＡＮ６で接続し、例えばＰＣ３からの要求により複合機１０の画像読取部１０ａで読み取った原稿画像をＰＣ３に転送し、あるいはＰＣ３からプリントすべきデータを複合機１０に送り、画像形成部１０ｂでプリントする画像処理システムが知られている（例えば、特許文献１参照）。
【０００３】
【特許文献１】
特開２００２−２７８７３６号公報
【０００４】
【発明が解決しようとする課題】
上記した従来のスキャナ装置１とプリンタ装置２をＬＡＮ６でＰＣ３、４、５……、に接続する画像処理システムでは、コピー処理する際に、スキャナ装置からプリンタ装置へ直接画像読取データを送信できず、ＰＣを介して送信する必要があり、ＰＣを介するのは、煩わしいという問題がある。
【０００５】
そこで、スキャナ装置、プリンタ装置、ＰＣを全てリピータハブに接続するシステムも考え得るが、リピータハブを使用するため、コピー処理の際には、ネットワークの負荷が増大するという問題がある。
【０００６】
また、特許文献１に示すシステムでは、スキャナ機能、及びプリント機能につき、制御部１０ｃ、及びネットワークＩ／Ｆ１０ｄが共通になっているため、制御部の構成が複雑になるとともに、画像読取部又は画像形成部を簡単に変更できないという問題がある。更に、他のシステムとして、図１０のプリンタ装置２をスキャナ装置１を介してＬＡＮ６に接続するものも考えられるが、ＰＣとプリンタ装置との間でデータ交換するために、スキャナ装置での制御が複雑になるという問題がある。
【０００７】
この発明は上記問題点に着目してなされたものであって、コピー処理の際に、ＰＣを介する必要がなく、各ネットワークの負荷を増大せず、更に制御部の構成を簡単化するとともに、スキャナ装置又はプリンタ装置を簡単に変更できる画像処理システム及び画像読取装置を提供することを目的としている。
【０００８】
また、この発明は、スキャナ装置、プリンタ装置、ＰＣより構成されるものにおいて、ＰＣプリントとコピー処理の指示が競合しても、混乱なく、両処理を実行できる画像処理システム及び画像読取装置を提供することを目的とする。
【０００９】
【課題を解決するための手段】
この発明の画像処理システムは、原稿画像を読み取って得た画像情報をネットワークを介して出力可能なスキャナ装置と、外部装置から入力した画像情報を可視的に出力する画像出力装置と、スキャナ装置から画像情報を入力可能であるとともに、画像出力装置に対して画像情報を出力可能な情報処理装置とが、それぞれデータ交換可能にネットワーク接続されてなる画像処理システムであって、スキャナ装置（画像読取装置）が、画像出力装置を接続するための第１ポートと、情報処理装置を接続するための第２ポートと、コピー処理においては、画像情報を第１ポートからネットワークを介して画像出力装置に出力するとともに、コピー処理中に第２ポートからネットワークを介してネットワークプリント要求を受信すると、内部記憶手段に所定の蓄積量までプリントデータを受信して蓄積し、所定の蓄積量となった場合、発信元である情報処理装置に対して、プリントデータの送信を中断又は抑制すべき旨のデータを送信するように制御する制御手段とを備えている。
【００１０】
この発明の画像読取装置では、コピー処理時に画像情報を第１ポートからネットワークを介して画像出力装置に出力する。そして、コピー処理中に第２ポートよりネットワークを介してネットワークプリント要求を受信すると、内部蓄積手段に所定の蓄積量までプリントデータを受信して蓄積する。この蓄積は、例えばページ単位で行う。所定の蓄積量となると、発信元である情報処理装置に対して、プリントデータの送信を中断又は抑制する。コピー処理が終了すると、蓄積されているプリントデータのプリントに移ることができるとともに、情報処理装置に蓄積停止以降分のデータ送信を促すことができる。
【００１１】
また、この発明の画像処理システムは、原稿画像を読み取って得た画像情報をネットワークを介して出力可能なスキャナ装置と、外部装置から入力した画像情報を可視的に出力する画像出力装置と、スキャナ装置から画像情報を入力可能であるとともに、画像出力装置に対して画像情報を出力可能な情報処理装置とが、それぞれデータ交換可能にネットワーク接続されてなる画像処理システムであって、スキャナ装置（画像読取装置）が、画像出力装置を接続するための第１ポートと、情報処理装置を接続するための第２ポートと、ネットワークプリント処理においては、第２ポートからネットワークを介して受信したプリントデータを、第１ポートからネットワークを介して画像出力装置に出力するとともに、ネットワークプリント処理中にコピー指令が入力されると、内部記憶手段に所定の蓄積量までスキャンデータを蓄積し、所定の蓄積量となった場合、読み取りを停止させるか読み取り速度を減速させ、ネットワークプリント処理の進行により内部記憶手段の空き容量が回復すると、読み取りを再開させるか高速とし、ネットワークプリント処理の終了後、蓄積していたスキャンデータを第１ポートからネットワークを介して画像出力装置に出力するように制御する。
【００１２】
この発明の画像読取装置においては、ネットワークプリント処理中には、第２ポートからネットワークを介してプリントデータを受信し、第１ポートからネットワークを介して画像出力装置に出力する。このネットワークプリント中に、コピー指令が入力されると、内部記憶手段に所定の蓄積量までスキャン（読取）データを蓄積し、所定の蓄積量となると、読み取りを停止させるか、読み取り速度を減速させる。ネットワークプリント処理の進行により、内部記憶手段の空き容量が回復すると、蓄積していたスキャンデータを第１ポートからネットワークを介して、画像出力装置に出力する。
【００１３】
ここでいう、読み取りを停止させる、読み取り速度を減速させるには、閾値を複数段階保持し、第１の閾値に達すると減速し、第２の閾値に達すると、停止させる場合も含むものである。ネットワークプリント処理が終了すると、蓄積されているスキャンデータのプリントに移ることができるとともに、スキャンを停止し、あるいは高速スキャンに戻すことができる。
【００１４】
この発明の画像読取装置は、操作部に、割り込みコピーを指示する手段を備え、ネットワークプリント中に割り込みコピー指示がなされた場合に、ネットワークプリントを中断し、コピー処理を実行するように制御する手段を備えても良い。
【００１５】
また、この発明の画像読取装置は、制御部にコピーとネットワークプリントのいずれを優先するか設定する手段を備え、コピー処理とネットワークプリントが競合した場合に、設定手段で優先設定された処理を優先して実行させるようにしても良い。
【００１６】
【発明の実施の形態】
以下、実施の形態により、この発明をさらに詳細に説明する。図１は、この発明の一実施形態である画像処理システムの構成を示すブロック図である。この実施形態画像処理システムは、原稿画像を読み取るスキャナ装置１と、プリンタ装置２と、ＰＣ３、４とから構成されている。スキャナ装置１には、プリンタ用のポート７−１とＰＣ接続用（ＬＡＮ用）のポート７−２を備えている。プリンタ装置２は、スキャナ装置１のプリンタ用ポート７−１に接続されている。ＰＣ３（情報処理装置）３は、ＬＡＮ６を介して、スキャナ装置１のＰＣ用ポート７−２に接続されている。スキャナ装置１のＰＣ用ポート７−２は、ハブ８の入／出力ポートに接続されている。ＰＣ３、４もハブ８の他の入／出力ポートに、それぞれ接続され、ＬＡＮ６を構成している。スキャナ装置１は、プリンタ用ポート７−１のみ対応する宛先情報（ＭＡＣアドレス）を記憶し、それ以外のポート７−２は対応する宛先情報（ＭＡＣアドレス）を記憶しない。プリンタ装置２、ＰＣ３、４には、各々を示すアドレス情報（ＭＡＣアドレス）が割付けられる。
【００１７】
この実施形態画像処理システムでは、スキャナ装置１とプリンタ装置２間、スキャナ装置１とハブ８間、ハブ８とＰＣ３、４間は、全て共通のプロトコルによりネットワーク（ＬＡＮ）を構成している。また、プリンタ装置２はスキャナ装置１のみに直接接続され、ハブ８とＰＣ３、４には直接接続されていない。このため、プリンタ装置２には、ＰＣ３、４、あるいはハブ８を接続するためのポートが不要であり、またハブ８のポート数も少なくできる。
【００１８】
スキャナ装置１は、図２に示すように、画像読取部１１と、操作部１２と、表示部１３と、ＭＰＵ１４と、ＲＯＭ１５と、ＲＡＭ１６と、ネットワークＩ／Ｆ１７とを備えている。画像読取部１１は、後に詳述するがカラー原稿画像を読み取り、画像データとして取り込む。操作部１２は、コピーキー、テンキー、その他の操作キーを備え、種々の指令を入力する。表示部１３は、操作手順や種々のメッセージ、データを表示する。ＭＰＵ１４は、ＲＯＭ１５に記憶するプログラムに従い、画像読み取りのための種々の制御処理動作を実行する。ＲＯＭ１５は、ＭＰＵ１４用のプログラムを格納している。ＲＡＭ１６は画像読み取りのための一時的なバッファデータや画像データを記憶する。ネットワークＩ／Ｆ１７は、ポート７−１、７−２を有し、ここを通じて他のネットワーク機器と指令、データの授受を行う。
【００１９】
また、上記図１ではスキャナ装置１に、１個のプリンタ専用ポート７−１を設けているが、これを複数設け、スキャナ装置１に複数台のプリンタ装置が直接的に接続される構成とすることもできる。
【００２０】
スキャナ装置１は、各ポート７−１、７−２に入力された電気信号（アナログ信号）をデジタル信号に変換し、宛先情報を解析し、そのデータを内部に取り込むか、所定の出力ポートを選択し、電気信号として出力するかを制御する。このように、スキャナ装置１は、ＰＣ３、４からのデータについて宛先の解析は行うが、要求内容の解析は行わないため、例えばネットワークプリント時、ＰＣからのプリンタステータス情報の要求に対して、自分が保持しているステータス情報を返信する必要がない。
【００２１】
また、スキャナ装置１は、定期的に又は所定の操作（コピー開始指示）が行われた際、プリンタ２装置に対してステータス情報の送信を要求する旨のデータを送信する。すなわち、プリンタ２装置のステータスを監視している。ステータス情報とは、現像材（トナー等）及び／又は記録用紙の状態を示す情報である。
【００２２】
スキャナ装置１のポート７−１、７−２から入力されるデータには、送信元のアドレス情報と宛先のアドレス情報が含まれる。スキャナ装置１のポートにデータが入力されると、図３、図４、図５のフロー図に示す処理を実行する。図３は、プリンタ用ポート７−１にデータが入力された場合の処理を示すフロー図である。図３のルーチンに入ると、ステップＳＴ１において、プリンタ用ポート７−１にデータが入力されたか否か判定する。プリンタ用ポート７−１へのデータ入力がなされた場合は、ステップＳＴ２へ移行する。ステップＳＴ２においては、入力されたパケットデータのヘッダを解析し、宛先情報がスキャナ、つまり自身であるか否かを判断する。自身である場合は、ステップＳＴ３へ移行する。一方、自身でない場合は、ステップＳＴ４へ移行する。ステップＳＴ３においては、そのデータをスキャナ装置１内部に取り込み、ＰＣ用ポート７−２には送出しない。ステップＳＴ４においては、そのデータをＰＣ用ポート７−１に送出し、スキャナ装置１の内部には取り込まない。
【００２３】
ここでは、スキャナ装置１のポート７−１、７−２において、通常のスイッチングハブのように、宛先情報とポートとの対応関係を示すテーブルを持つのではなく、宛先情報がスキャナであるか、それ以外かを判断するのみである。スキャナ以外の宛先情報の場合に、その宛先情報がどの機器であるかは認識しない。このようにすることにより、ＰＣポートに接続されている機器のアドレスを記憶する必要がなく、構成及び制御が簡単となる。
【００２４】
図４、図５は、ＰＣ用ポート７−２にデータが入力された場合の処理を示すフロー図である。図４に示すルーチンに入ると、ステップＳＴ１１において、ＰＣ用ポート７−２へデータが入力されたか否か判定する。ＰＣ用ポート７−２へのデータの入力が判断されると、ステップＳＴ１２へ移行し、入力されたそのデータをＲＡＭ１６のバッファメモリに一時的に記憶する。
【００２５】
次に、ステップＳＴ１３へ移行する。ステップＳＴ１３においては、データに含まれる宛先情報が自分自身か否かを判定する。自分自身の場合は、ステップＳＴ１４へ移行する。一方、自身でない場合は、ステップＳＴ１５へ移行する。ステップＳＴ１３においては、データをスキャナ装置１内部に取り込む。
【００２６】
ステップＳＴ１５においては、ポートに接続されているプリンタ装置のアドレスを記憶しているか否かを判定する。接続されているプリンタ装置のアドレスを記憶している場合には、ステップＳＴ１６へ移行する。一方、接続されているプリンタ装置のアドレスが記憶されていない場合は、ステップＳＴ２２（図５）へ移行する。
【００２７】
ステップＳＴ１６においては、宛先情報がプリンタ装置２か判定し、宛先情報がプリンタ装置２の場合に、ステップＳＴ１７へ移行し、そのデータをプリンタ用ポート７−１に出力する。次に、ステップＳＴ１８へ移行し、プリンタ装置２データの衝突が検出されたか否か判定する。データの衝突が検出された場合は、ステップＳＴ１７へ戻る。一方、データの衝突が検出されない場合は、ステップＳＴ１９へ移行する。ステップＳＴ１９においては、正しく通信ができたか否かを判定する。正常に通信した場合、ステップＳＴ２１へ移行し、バッファメモリに記憶していたデータを破棄する。正しく通信ができていない場合は、ステップＳＴ２０へ移行する。ステップＳＴ２０においては、プリンタ装置２のアドレス（宛先情報）が記憶されていることの有無を記憶するメモリに「記憶されていない」を記憶する。
【００２８】
ステップＳＴ２２においては、プリンタ用ポート７−１にデータを出力する。そして、ステップＳＴ２３へ移行する。ステップＳＴ２３においては、データの衝突が検出されたか否かを判定する。データの衝突が検出されれば、ステップＳＴ２２へ戻る。一方、データの衝突がなければ、ステップＳＴ２４へ移行する。ステップＳＴ２４においては、正しく通信ができたか否か判定する。正しく通信できれば、ステップＳＴ２５へ移行する。そして、ステップＳＴ２５においては、宛先情報が記憶されていることの有無を記憶メモリに「記憶されている」記憶する。一方、正しく通信ができなければ、処理を終了する。
【００２９】
今、スキャナ装置１において、操作部１２よりコピー指示が入力された場合を想定する。この場合は、図６のフロー図に示すように、ステップＳＴ１０１において、コピー指令有りかの判定がＹＥＳとなり、ステップＳＴ１０２へ移行する。ステップＳＴ１０２においては、画像読取部１１でスキャンデータの読み取りを行う。そして、ステップＳＴ１０３へ移行する。ステップＳＴ１０３においては、プリンタ用ポート７−１より、スキャンデータを出力する。プリンタ装置２では、スキャナ装置１のプリンタ用ポート７−１より、スキャンデータを受けて、プリントを行い、コピー処理を完了する。
【００３０】
このコピー処理を実行中に、ＰＣ用ポート７−２より、通信開始要求があった場合には、図７に示すフロー図の処理を実行する。この処理ルーチンに入ると、ステップＳＴ１１１において、コピー処理中か否か判定する。コピー処理中の場合は、ステップＳＴ１１２へ移行する。一方、コピー処理中でない場合は、ステップＳＴ１１６へ移行する。ステップＳＴ１１６においては、プリンタ用ポート７−２へデータを出力する。
【００３１】
ステップＳＴ１１２においては、ＰＣ３等から送られて来たデータが蓄積可能なデータか否か判定する。ＰＣ３からのデータがプリントデータの場合、プリントデータは蓄積可能であり、この場合は、ステップＳＴ１１３へ移行する。一方、ＰＣからのデータがプリンタステータス要求の場合には、蓄積しておいても意味がないデータなので、蓄積不可能なデータと判断し、ステップＳＴ１１７へ移行する。ステップＳＴ１１７においては、ステータスをＰＣ３へ送信する。
【００３２】
ステップＳＴ１１３においては、蓄積容量があるか否か判定する。蓄積容量があれば、ステップＳＴ１１４へ移行する。一方、蓄積容量が不足の場合は、ステップＳＴ１１８へ移行する。ステップＳＴ１１８においては、受信できない旨をＰＣ３に送信する。ステップＳＴ１１４においては、データを受信し、受信データをメモリに蓄積する。次に、ステップＳＴ１５へ移行する。ステップＳＴ１１５においては、次データ有りか否かを判定する。次データがあれば、ステップＳＴ１１１へ戻る。次データがなければ、処理を終了する。
【００３３】
次に、ＰＣプリント実行中に、コピー指令があった場合には、図８に示すフロー図にしたがって処理を行う。この処理ルーチンに入ると、ステップＳＴ１２１において、コピー指令有りか否かを判定する。操作部１２よりコピー指令がなされると、ステップＳＴ１２２へ移行する。ステップＳＴ１２２においては、割込キーが押されているか否か判定する。割込キーが押されている場合は、ステップＳＴ１２８に移行する。一方、割込キーが押されていない場合は、ステップＳＴ１２３へ移行する。
【００３４】
ステップＳＴ１２８においては、実行中ＰＣプリントのプリント動作を中断する。ここでのプリント中断はページ単位で行う。そして、ステップＳＴ１２９へ移行する。ステップＳＴ１２９においては、ＰＣプリントのデータ受信は継続しながら、コピー処理を実行する。次に、ステップＳＴ１２５へ移行する。ステップＳＴ１２３においては、所定の蓄積量に達するまで、スキャンデータを蓄積する。ここで、所定の蓄積量に達するとは、メモリ空き容量がゼロ、又は略ゼロに達することとしても良い。また、空き容量が１ページ分又は１ライン以下に達することとしても良い。続いて、ステップＳＴ１２４へ移行する。ステップＳＴ１２４においては、ＰＣプリント終了か否か判定する。終了でない場合は、ステップＳＴ１２３へ戻り、スキャンデータの蓄積を継続する。一方、ＰＣプリント終了の場合は、ステップＳＴ１２５へ移行する。
【００３５】
ステップＳＴ１２５においては、蓄積されていないデータがあるか否か判定する。蓄積データがなければ、処理を終了する。一方、蓄積データがあれば、ステップＳＴ１２６へ移行する。ステップＳＴ１２６においては、蓄積データをプリンタ用ポート７−１に出力する。
【００３６】
また、コピー処理、もしくはプリント処理が終了すると、図９に示す処理を実行しても良い。このルーチンでは、先ずステップＳＴ１３１において、蓄積されたデータが有りか否か判定される。蓄積されたデータなしの場合は、処理を終了する。一方、蓄積データ有りの場合は、ステップＳＴ１３２へ移行する。ステップＳＴ１３２においては、所定の処理を実行する。蓄積データをプリンタポート７−１より出力し、プリンタ装置２にデータを処理させるが、蓄積データに基づき、先立ってする必要がある処理を行う。蓄積データが例えばプリント処理のデータである場合、プリンタデータのみが蓄積されているので、プリントデータに先立って、ステータスをプリンタ装置２より取得する。次に、ステップＳＴ１３３へ移行する。
【００３７】
ステップＳＴ１３３においては、処理可能か否か判定する。例えば、ステータスを判断して、印刷可能／エラー発生であるか判定する。処理不可能である場合、ステップＳＴ１３５へ移行する。一方、処理可能の場合は、ステップＳＴ１３４へ移行する。ステップＳＴ１３５においては、エラーに対する処理を実行する。ステップＳＴ１３４においては、蓄積データをプリンタ用ポート７−１より出力し、プリンタ装置２にデータを処理させる。例えば、プリンタデータを出力して、プリントさせる。
【００３８】
なお、上記実施形態画像処理システムでは、スキャナ装置１、プリンタ装置２、ＰＣ３間でのデータ送受信は、全てパケット交換で行う。スキャナ装置１では、１つのパケットデータを全て一旦蓄積した後、宛先に対して出力するので、各ポート間での通信速度が異なる場合でも問題が発生することはない。すなわち、各ポートの通信速度（スキャナ装置１とプリンタ装置２間の速度、スキャナ装置１とＰＣ３間の速度）に規制されずに、転送が行える。
【００３９】
【発明の効果】
この発明によれば、コピー処理とＰＣ（ネットワーク）プリントが競合する場合に、先に処理中に対する後続の処理、あるいは優先順位の低い方のデータが送られて来たときに、蓄積可能分だけ記憶しておき、先の処理が終了すると、直ちに次のプリント処理が実行できる。
【００４０】
また、外付けのスイッチングハブを使用しないため、コピー処理中であっても、蓄積可能な分に限っては、プリントデータを受け付けることができる。更にまた、プリンタにメモリを増やさずとも、スキャナ装置のメモリにプリントデータをバッファすることができ、プリンタの構成を簡単にできるとともに、スキャナ装置のメモリを有効に利用することができる。
【図面の簡単な説明】
【図１】この発明の一実施形態である画像処理システムの構成を示すブロック図である。
【図２】同実施形態画像処理システムのスキャナ装置の概略構成を示すブロック図である。
【図３】同実施形態画像処理システムのスキャナ装置の一処理例を説明するためのフロー図である。
【図４】同スキャナ装置の他の処理例を説明するためのフロー図である。
【図５】同スキャナ装置の更に他の処理例を説明するためのフロー図である。
【図６】同スキャナ装置の更に他の処理例を説明するためのフロー図である。
【図７】同スキャナ装置の更に他の処理例を説明するためのフロー図である。
【図８】同スキャナ装置の更に他の処理例を説明するためのフロー図である。
【図９】同スキャナ装置の更に他の処理例を説明するためのフロー図である。
【図１０】従来の画像処理システムの構成を示すブロック図である。
【図１１】従来の他の画像処理システムの構成例を示すブロック図である。
【符号の説明】
１          スキャナ装置
２          プリンタ装置
３、４      ＰＣ
６          ＬＡＮ
７−１      プリンタ用ポート
７−２      ＰＣ用ポート
８          ハブ
１１        画像読取部
１２        操作部
１３        表示部
１４        ＭＰＵ
１５        ＲＯＭ
１６        ＲＡＭ
１７        ネットワークＩ／Ｆ
【図１】
2004357013.tif 000003
【図２】
2004357013.tif 000004
【図３】
2004357013.tif 000005
【図４】
2004357013.tif 000006
【図５】
2004357013.tif 000007
【図６】
2004357013.tif 000008
【図７】
2004357013.tif 000009
【図８】
2004357013.tif 000010
【図９】
2004357013.tif 000011
【図１０】
2004357013.tif 000012
【図１１】
2004357013.tif 000013